(57)【要約】【課題】  暴漢などに対して放電や顔面に催涙ガスを噴射する事により、相手がひるんだ隙に避難するためのスタンガンや催涙スプレーの使用が即時に可能になる暴力行為等の撃退用機器の保持器を提供すること。【解決手段】  大略円筒形の撃退用器具１０を着脱自在に収納する撃退用器具収納部２０と、所持者の腰部近傍の衣服に装着する衣服装着部３０とを有する暴力行為等の撃退用機器の保持器に関する。撃退用器具収納部２０は、基板２２と、隣接して設けられた第一のＵ字形屈曲部２４及び第二のＵ字形屈曲部２６と、これらの間に設けられた撃退用器具の取り出し用の間隙部２８を有する。衣服装着部３０は、弾性取付板３２を基板２２に固定する固定部３４と、固定部３４と上側縁部３２ａとの間であって撃退用器具１０の装着側に帯状に屈曲又は湾曲上に突出するように形成された帯状屈曲部３６を有する。【選択図】  図１
2010266159.tif 000002
【特許請求の範囲】
【請求項１】
大略円筒形の撃退用器具を着脱自在に収納する撃退用器具収納部と、所持者の腰部近傍の衣服に装着する衣服装着部とを有する暴力行為等の撃退用機器の保持器において、
前記撃退用器具収納部は、大略長方形の基板と、前記基板の下側に設けられた第一のＵ字形屈曲部と、この第一のＵ字形屈曲部に隣接して設けられた第二のＵ字形屈曲部と、前記第一のＵ字形屈曲部と前記第二のＵ字形屈曲部の間に設けられた前記撃退用器具の取り出し用の間隙部を有し、
前記衣服装着部は、前記基板の前記撃退用器具の装着側であって、前記基板の上側縁部と大略同一の位置に設けられた上側縁部を有する弾性取付板と、前記弾性取付板の上側縁部が開口可能な状態で前記弾性取付板を前記基板に固定する固定部と、当該固定部と前記上側縁部との間であって前記撃退用器具の装着側に帯状に屈曲又は湾曲上に突出するように形成された帯状屈曲部を有し、
前記第一のＵ字形屈曲部と前記第二のＵ字形屈曲部は、前記撃退用器具の装着側に屈曲された端部を有すると共に、当該屈曲部の曲率が前記収納される撃退用器具の外形のなす曲率よりも僅かに小さく構成されると共に、
前記弾性取付板と前記基板との間に前記衣服を挟む場合に、挟まれる前記衣服の厚みによる前記弾性取付板と前記基板との前記衣服との接触状態に対する影響を、前記帯状屈曲部によって補償することを特徴する暴力行為等の撃退用機器の保持器。
【請求項２】
前記取り出し用の間隙部は、少なくとも使用者の中指と薬指の組み合わせ、又は中指と人差し指の組み合わせに相当する間隙を有することを特徴とする請求項１に記載の暴力行為等の撃退用機器の保持器。
【請求項３】
前記第一のＵ字形屈曲部と前記第二のＵ字形屈曲部は、前記収納される撃退用器具の断面方向の中心を基準として、前記基板の法線方向の頂部をなす円周縁頂部よりも僅かに前記基板の上側方向に位置する前記端部を有することを特徴とする請求項１に記載の暴力行為等の撃退用機器の保持器。
【請求項４】
前記第一のＵ字形屈曲部と前記第二のＵ字形屈曲部の前記端部は、前記収納される撃退用器具の断面方向の中心を基準として、前記基板の法線方向の頂部をなす円周縁頂部を９０度として、９５度から１３５度までの範囲で前記基板の上側方向に位置することを特徴とする請求項３に記載の暴力行為等の撃退用機器の保持器。
【請求項５】
前記帯状屈曲部は、前記固定部側に位置する固定部側延伸部と、前記弾性取付板側に位置する上着取付部側延伸部とを有し、挟まれる前記衣服の厚みを基準として、前記固定部側延伸部の長さは２倍乃至５倍、前記上着取付部側延伸部の長さは０．５倍乃至５倍とすることを特徴する請求項１乃至請求項４の何れか一項に記載の暴力行為等の撃退用機器の保持器。
【請求項６】
前記固定部は、前記弾性取付板の下側であって前記撃退用器具の装着位置の近傍に設けられることを特徴する請求項１乃至請求項５の何れか一項に記載の暴力行為等の撃退用機器の保持器。
【請求項７】
さらに、前記基板の前記撃退用器具の装着と反対側であって、前記基板の上側縁部と帯状屈曲部の間に相当する位置に設けられたクリップ部を有し、
前記所持者の腰部近傍の衣服として、ズボン、スカート、又は腰部に位置するベルトや帯が着用されている場合に、当該クリップ部が当該着用されたズボン、スカート、又は腰部に位置するベルトや帯に取付けられることを特徴する請求項１乃至請求項６の何れか一項に記載の暴力行為等の撃退用機器の保持器。
【発明の詳細な説明】
【技術分野】
【０００１】
本発明は、催涙スプレーやスタンガン等の暴力行為等の撃退用機器の保持器に関し、特に防刃用チョッキや防弾チョッキ、或いは通常の衣服やズボン・スカートに着用する場合に用いて好適な、迅速に使用開始できる暴力行為等の撃退用機器の保持器に関する。
【背景技術】
【０００２】
現代自由主義社会では、多様な価値観を許容している関係で、従来の社会と比較して行為規範が緩んでいる。また、倫理観の欠乏した者や、いわゆるゲーム脳に起因して、他者への加害行為を害悪と認識しない者も増加している。さらに、傷害犯や強盗犯等の凶悪犯の犯罪率が、高度成長期と比較して近年では数倍に増大している。犯罪者の検挙率も、特に窃盗犯において急激に低下しており、窃盗犯の検挙率と日本国における刑罰の重さを考慮すると、犯意に対して充分な抑止力となっていない。そこで、銀行や郵便局などの金融機関のような高価な財物を多量に保持する施設に限らず、小中学生や婦女等の市民においても、防犯対策や自衛の必要性が増大している。
【０００３】
このような防犯装置の一例としては、金融機関の窓口で強盗事件が発生した場合に、逃走する犯罪者に向けて投げつけて目印とさせるカラーボールの如き防犯具が知られている。また、特許文献１のように、拳銃に類似した形状のホルダー内部に催涙ガスを収容して、暴行や脅迫を受けた場合には被疑者に対して拳銃の引金部を操作して催涙ガスを暴行加害者に噴霧する装置も知られている。
【０００４】
また、特許文献２には、催涙ガススプレーが提案されている。このような護身用の催涙ガススプレーは、一時的に加害者の行動を困難にする程度の効力を有するもので、加害者が行動困難に陥る短時間の間に、被害者の逃亡を可能とするものである。
【０００５】
さらに、本出願人の提案にかかる特許文献３では、防刃用チョッキを提案している。防刃用チョッキや防弾チョッキは、主に警察や軍隊を前提に用途開発された関係で、日常着用するにはデザイン的な洗練度が低く、ファッション的な処理がなされていない。そこで、学生や婦女等の市民が着用するには、日常服との組合せについて、ファッション性からも適していないと言う課題があった。この課題は特許文献３によって解決されている。
【先行技術文献】
【特許文献】
【０００６】
【特許文献１】登録実用新案公報  第３１２３９８２号
【特許文献２】特開２００５−５９９６０号
【特許文献３】特許第３７８２４２７号
【発明の概要】
【発明が解決しようとする課題】
【０００７】
そこで、防刃用チョッキや防弾チョッキの着用者においても、加害者に対して正当防衛のために暴力行為の撃退用機器を使用することが考えられる。しかし、被害者が特に女性の場合、暴力行為の撃退用機器をハンドバック等の内に入れているのでは、防衛行為を開始するために時間がかかり、急迫不正の侵害に対する防衛行為として充分効用が発揮できない。また、迅速に暴力行為の撃退用機器を使用できれば、加害者が怯んだ隙をみて、逃走できる可能性が高まるのに、被害者が防衛行為を開始できず、又は逃走時間を確保できないため、被害を回避することが困難であるという課題があった。
【０００８】
本発明は、上述した課題を解決するもので、第１の目的は、衣類の着用者が傷害犯や強盗犯等の凶悪犯の被害を受ける虞がある場合に、暴漢などの顔面に催涙ガスを噴射する事により、相手がひるんだ隙に避難するための催涙スプレーやスタンガンの使用が即時に可能になる暴力行為等の撃退用機器の保持器を提供することである。本発明の第２の目的は、防刃用チョッキや防弾チョッキの着用者においても、反撃行為に適した態様で暴力行為の撃退用機器を所持するのに便利な保持器を提供することである。
【課題を解決するための手段】
【０００９】
上記第１の目的を達成する本発明の暴力行為等の撃退用機器の保持器は、例えば図１に示すように、大略円筒形の撃退用器具１０を着脱自在に収納する撃退用器具収納部２０と、所持者の腰部近傍の衣服に装着する衣服装着部３０とを有する暴力行為等の撃退用機器の保持器において、次の構成としていている。即ち、撃退用器具収納部２０は、大略長方形の基板２２と、前記基板の下側に設けられた第一のＵ字形屈曲部２４と、第一のＵ字形屈曲部２４に隣接して設けられた第二のＵ字形屈曲部２６と、第一のＵ字形屈曲部２４と第二のＵ字形屈曲部２６の間に設けられた撃退用器具の取り出し用の間隙部２８を有する。衣服装着部３０は、基板２２の撃退用器具１０の装着側であって、基板２２の上側縁部２２ａと大略同一の位置に設けられた上側縁部３２ａを有する弾性取付板３２と、弾性取付板３２の上側縁部３２ａが開口可能な状態で弾性取付板３２を基板２２に固定する固定部３４と、固定部３４と上側縁部３２ａとの間であって撃退用器具１０の装着側に帯状に屈曲又は湾曲上に突出するように形成された帯状屈曲部３６を有し、第一のＵ字形屈曲部２４と第二のＵ字形屈曲部２６は、撃退用器具１０の装着側に屈曲された端部２４ａ、２６ａを有すると共に、当該屈曲部２４、２６の曲率が収納される撃退用器具１０の外形のなす曲率よりも僅かに小さく構成される。弾性取付板３２と基板２２との間に衣服を挟む場合に、挟まれる衣服の厚みによる弾性取付板３２と基板２２との衣服との接触状態に対する影響を、帯状屈曲部３６によって補償するように構成される。
【００１０】
このように構成された本発明の暴力行為等の撃退用機器の保持器においては、撃退用器具収納部２０は、大略円筒形の撃退用器具１０を第一のＵ字形屈曲部２４と第二のＵ字形屈曲部２６で保持する。第一のＵ字形屈曲部２４と第二のＵ字形屈曲部２６は、撃退用器具１０の装着側に屈曲された端部２４ａ、２６ａを有すると共に、当該屈曲部２４、２６の曲率が収納される撃退用器具１０の外形のなす曲率よりも僅かに小さく構成されるので、撃退用器具１０の装着が容易であると共に使用者の意に反する離脱が生じにくい。間隙部２８は、第一のＵ字形屈曲部２４と第二のＵ字形屈曲部２６の間に設けられているので、撃退用器具の取り出しが容易にできる。衣服装着部３０は、撃退用機器の保持器を所持者の腰部近傍の衣服に装着するもので、弾性取付板３２と基板２２の間に衣服を挟むと共に、帯状屈曲部３６によって衣服端部に位置決めして、弾性取付板３２が衣服を確実に押え付けるようにする。弾性取付板３２と基板２２との間に衣服を挟む場合に、挟まれる衣服の厚みが厚い場合と薄い場合とで弾性取付板３２と基板２２との衣服との接触状態が変動しないように、帯状屈曲部３６によって補償する。
【００１１】
好ましくは、本発明の暴力行為等の撃退用機器の保持器において、取り出し用の間隙部２８は、少なくとも使用者の中指と薬指の組み合わせ、又は中指と人差し指の組み合わせに相当する間隙を有する構成にするとよい。指が二本程度入る間隙とすると、撃退用機器が取り出しやすい。
【００１２】
好ましくは、本発明の暴力行為等の撃退用機器の保持器において、第一のＵ字形屈曲部２４と第二のＵ字形屈曲部２６は、収納される撃退用器具１０の断面方向の中心を基準として、基板２２の法線方向の頂部をなす円周縁頂部１２よりも僅かに基板２２の上側方向に位置する端部２４ａ、２６ａを有する構成にするとよい。さらに好ましくは、本発明の暴力行為等の撃退用機器の保持器において、端部２４ａ、２６ａは、収納される撃退用器具１０の断面方向の中心を基準として、基板２２の法線方向の頂部をなす円周縁頂部１２を９０度として、９５度から１３５度までの範囲で基板２２の上側方向に位置する構成にするとよい。端部２４ａ、２６ａの特に好ましい角度としては、収納される撃退用器具１０の断面方向の中心を基準として、基板２２の法線方向の頂部をなす円周縁頂部１２を９０度として、１０５度から１１５度までの範囲がよく、例えば１１０度では収納される撃退用器具１０の外径Ｄ１０の大略２／３の高さに相当する。
【００１３】
好ましくは、本発明の暴力行為等の撃退用機器の保持器において、例えば図３（Ａ）に示すように、固定部３４側に位置する固定部側延伸部３６ａと、弾性取付板３２側に位置する上着取付部側延伸部３６ｂとを有し、衣服の厚みｔを基準として、固定部側延伸部３６ａの長さは２ｔ乃至５ｔ程度、上着取付部側延伸部３６ｂの長さは０．５ｔ乃至５ｔ程度にするとよい。固定部側延伸部３６ａと上着取付部側延伸部３６ｂの長さの差と、そのなす角度によって、弾性取付板３２と基板２２との間に挟まれる衣服の厚みｔが厚い場合と薄い場合とで弾性取付板３２と基板２２との衣服との接触状態が変動しないように、帯状屈曲部３６によって補償する。
【００１４】
好ましくは、本発明の暴力行為等の撃退用機器の保持器において、固定部３４は、弾性取付板３２の下側であって撃退用器具１０の装着位置の近傍に設けられる構成にするとよい。固定部３４を撃退用器具１０の装着位置の近傍に設けると、基板２２の高さ方向が少なくて済み、保持器を上着の下側端部やズボンやスカートの腹側縁部に取り付けた場合でも、撃退用器具１０が腰の近傍に位置して、取り出しやすくなる。
【００１５】
好ましくは、本発明の暴力行為等の撃退用機器の保持器において、基板２２の撃退用器具１０の装着と反対側であって、基板２２の上側縁部と帯状屈曲部の間に相当する位置に設けられたクリップ部４０を有し、所持者の腰部近傍の衣服として、ズボン、スカート、又は腰部に位置するベルトや帯が着用されている場合に、クリップ部４０が当該着用されたズボン、スカート、又は腰部に位置するベルトや帯に取付けられる構成とすると良い。夏場のように、胴体に着用する衣服の厚みが薄手の場合には、弾性取付板３２と基板２２で上着を挟んで保持器を上着に取付けるのが困難な場合がある。この場合に、ズボン、スカート、又は腰部に位置するベルトや帯に保持器を取付けると、保持器の取付が確実になされると共に、上着が薄いので撃退用器具１０の取出しに対して上着の干渉を受けることもない。
【発明の効果】
【００１６】
本発明の暴力行為等の撃退用機器の保持器によれば、撃退用器具の装着が容易であると共に使用者の意に反する離脱が生じにくく、また衣類に撃退用機器の保持器を装着する場合にも、利用者は撃退用器具の取り出しを迅速かつ容易にできる。衣服装着部３０は、撃退用機器の保持器を所持者の腰部近傍の衣服に装着するもので、弾性取付板３２と基板２２の間に衣服を挟むと共に、帯状屈曲部３６によって衣服端部に位置決めして、弾性取付板３２が衣服を確実に押え付けるようにする。
【図面の簡単な説明】
【００１７】
【図１】図１は、本発明の暴力行為等の撃退用機器の保持器を説明する構成図で、（Ａ）は構成斜視図、（Ｂ）は側面図である。
【図２】図２は、本発明の撃退用機器の保持器の使用状態の説明図で、（Ａ）は上着の下側縁部に装着した場合、（Ｂ）はズボンやスカートの腹側縁部に取り付けた場合を示している。
【図３】図３は、本発明の撃退用機器の保持器を説明する構成図で、（Ａ）は本実施例の帯状屈曲部がある場合の側面図、（Ｂ）は帯状屈曲部がない場合の側面図である。
【図４】図４は、本発明の撃退用機器の保持器の比較例を説明する構成図で、（Ａ）は本実施例と比較して端部が短い場合の側面図、（Ｂ）は長い場合の側面図である。
【発明を実施するための形態】
【００１８】
以下、本発明の実施の形態を、図面に基づいて説明する。
図１は本発明の暴力行為等の撃退用機器の保持器を説明する構成図で、（Ａ）は構成斜視図、（Ｂ）は側面図である。図において、本発明の保持器は、大略円筒形の撃退用器具１０を着脱自在に収納する撃退用器具収納部２０と、所持者の腰部近傍の衣服に装着する衣服装着部３０とを有する。
【００１９】
保持器で保持される撃退用器具１０は、例えばスタンガンや催涙スプレー等の公知のものが用いられる。撃退用器具１０は、例えば大略長さＬが１００〜１５０ｍｍ、外径Ｄ１０が２５〜４０ｍｍ、重量が数百グラムとなっている。スタンガンは、携帯型のハンディータイプが適しているが、伸長させて警備用の大型警棒と同じ程度の長さに形成するタイプや、ワイヤーと針によって通電するタイプの物があり、ワイヤー針タイプのスタンガンは、数メートルの射程を有する。スタンガンは護身用として販売されている為に、日本国内では通常型のスタンガンの購入・所持・携帯及び実際の使用についての特別な許可や届け出等は必要ない。
【００２０】
スタンガンは、スイッチを押すことにより内部電源回路で高電圧を発生し、放電電極部に相手を接触させることにより、暴漢などの相手の神経網を強烈に刺激して、電流が流れている間は体が利かず、歩行を困難な状態にさせる。その隙に危険から退避する十分な時間を確保することができる。放電電極が空中にある場合、電極間で放電が起こり閃光を発すると共に、放電音が発生するため、威嚇効果が期待できる。
【００２１】
催涙スプレーは、一般的にはクロロアセトフェノン（ＣＮガス）、クロロベンジリデンマロノニトリル（ＣＳガス）、トウガラシスプレー（ＯＣガス）のいずれか、又はこれらの混合物を主成分としている。特にＯＣガスは麻薬中毒の状態にある者や泥酔者にも一定の効果があり、またクマ等の野生動物撃退も可能である。催涙スプレーの容器形状は、純粋なスプレー缶型があるが、警棒型のものでもよい。スプレー缶型や警棒型は、取扱いの容易さやガスの噴射口が自分の方を向いている場合の誤射を防止するため、安全装置を付帯させるとよい。
【００２２】
撃退用器具収納部２０は、大略長方形の基板２２と、基板２２の下側に設けられた第一のＵ字形屈曲部２４と、第一のＵ字形屈曲部２４に隣接して設けられた第二のＵ字形屈曲部２６と、第一のＵ字形屈曲部２４と第二のＵ字形屈曲部２６の間に設けられた撃退用器具の取り出し用の間隙部２８を有する。基板２２の形状は、大略高さＨが８０〜１１０ｍｍ、幅Ｗが８０〜１１０ｍｍ、厚さが１ｍｍ程度で、材料としては塩化ビニール樹脂のようなプラスチック板やステンレスのような金属板が用いられる。第一のＵ字形屈曲部２４は、幅Ｗ２４が２５〜４０ｍｍ、曲率半径Ｄ／２は外径Ｄ１０より僅かに小さくし、例えば外径Ｄ１０よりも数％程度小さくするとよい。第二のＵ字形屈曲部２６も、幅Ｗ２６が２５〜４０ｍｍ、曲率半径Ｄ／２は外径Ｄ１０より僅かに小さくする。間隙部２８の幅Ｗ２８は３０〜５０ｍｍとし、少なくとも使用者の中指と薬指の組み合わせ、又は中指と人差し指の組み合わせに相当する間隙を有する。
【００２３】
第一のＵ字形屈曲部２４と第二のＵ字形屈曲部２６は、撃退用器具１０の装着側に屈曲された端部２４ａ、２６ａを有する。Ｕ字形屈曲部２４、２６の曲率は、収納される撃退用器具１０の外形のなす曲率よりも僅かに小さく構成される。端部所在角度θは、収納される撃退用器具１０の断面方向の中心Ｏを中心として、撃退用器具収納部２０における最も下側のＵ字形屈曲部２４、２６の位置を回転開始軸として定められる。すると、基板２２の法線方向ｎの頂部をなす円周縁頂部１２が９０度となる。中心Ｏから端部２４ａ、２６ａの先端方向への線分のなす角度θは９５度から１３５度までの範囲、ここでは１１５度〜１２０度で基板２２の上側方向に位置する。この場合、図３（Ａ）、（Ｂ）に示すように、第一のＵ字形屈曲部２４の端部２４ａのＵ字形屈曲部２４の底部からの高さＨ２４は、撃退用器具１０の外径Ｄ１０に対して、大略２／３程度になっている。同様に、第二のＵ字形屈曲部２６の端部２６ａのＵ字形屈曲部２６底部からの高さＨ２６も、撃退用器具１０の外径Ｄ１０に対して、大略２／３程度になっている。
【００２４】
衣服装着部３０は、基板２２、弾性取付板３２、固定部３４、帯状屈曲部３６、保持用裏当て部３８、スカートズボン取付部４０を有する。弾性取付板３２は、基板２２の撃退用器具１０の装着側に取り付けられるもので、基板２２の上側縁部２２ａと大略同一の位置に設けられた上側縁部３２ａを有すると共に、折返し部３３を有する。弾性取付板３２の上側と折返し部３３は、上側縁部３２ａを頂点とする断面大略Ｕ字形をしており、ポリプロピレン樹脂のようなプラスチック等の弾性により操作感が良好になると共に耐久性が増すように、折返し部３３の長さを定める。固定部３４は、弾性取付板３２を基板２２に固定するもので、弾性取付板３２の下側であって撃退用器具１０の装着位置の近傍に設けられ、例えば適切な間隔で取り付けられる二本のネジが用いられる。
【００２５】
帯状屈曲部３６は、固定部３４と上側縁部３２ａとの間であって撃退用器具１０の装着側に帯状に屈曲又は湾曲上に突出するように形成されている。帯状屈曲部３６の突出量は、挟み込む衣類端部の厚みよりも大きくする。帯状屈曲部３６は、弾性取付板３２と基板２２の間に衣服のうち特に上着を挟むと共に、帯状屈曲部３６によって上着端部に位置決めして、弾性取付板３２が上着を確実に押え付けるようにする。保持用裏当て部３８は、基板２２の弾性取付板３２側に貼付されたもので、上着が弾性取付板３２によって押え付けられる場合に、滑り難いように抵抗を高めて、衣服装着部３０による上着への装着を確実にする。保持用裏当て部３８には、例えばゴム板や凸凹の大きな滑り難い織物が用いられる。スカートズボン取付部４０は、基板２２の弾性取付板３２の反対側に固定されたもので、衣類のうちスカートやズボンに撃退用機器の保持器を装着する場合に使用されるもので、例えば一般的なバネ式の挟み器具を用いる。
【００２６】
このように構成された装置の動作を説明する。図２は、本発明の撃退用機器の保持器の使用状態の説明図で、（Ａ）は上着の下側縁部に装着した場合、（Ｂ）はズボンやスカートの腹側縁部に取り付けた場合を示している。保持器は使用者の上着の下側縁部に装着したり、使用者のズボンやスカートの腹側縁部に取り付けて用いる。保持器には撃退用器具１０を装着して、暴漢からの攻撃に対する防御を可能にする。
【００２７】
冬場や春秋のような、上着を着用するのが一般的な時期では、使用者の上着に保持器を装着する。図２（Ａ）に示すように、保持器を使用者の上着の下側縁部に装着する場合には、上着の下側縁部を基板２２と弾性取付板３２とで挟む。帯状屈曲部３６と固定部３４が有効に作用して、撃退用器具１０が上着の下側縁部に位置決めされる。撃退用器具収納部２０に撃退用器具１０を装着して、上着の表面側に撃退用器具１０を位置させる。暴漢からの攻撃に対して防御が必要となったときは、撃退用器具の取り出し用の間隙部２８に指を挿入して撃退用器具１０を取り出し、暴漢に対して反撃する。
【００２８】
夏場や春秋の昼間ように、厚手の上着を着用せず、薄手のワイシャツやブラウスが下着の上に着用されるのが一般的な時期では、使用者のズボンやスカートに保持器を装着する。図２（Ｂ）に示すように、保持器を使用者のズボンやスカートの腹側縁部に装着する場合には、ズボンやスカートの腹側縁部をスカートズボン取付部４０と基板２２で挟む。スカートズボン取付部４０のバネ式の挟み器具が有効に作用して、撃退用器具１０がズボンやスカートの腹側縁部に位置決めされる。撃退用器具収納部２０に撃退用器具１０を装着して、上着の表面側に撃退用器具１０を位置させる。暴漢からの攻撃に対して防御が必要となったときは、撃退用器具の取り出し用の間隙部２８に指を挿入して撃退用器具１０を取り出し、暴漢に対して反撃する。
【００２９】
図３は、本発明の撃退用機器の保持器を説明する構成図で、（Ａ）は本実施例の帯状屈曲部がある場合の側面図、（Ｂ）は帯状屈曲部がない場合の側面図である。帯状屈曲部３６は、固定部３４側に位置する固定部側延伸部３６ａと、弾性取付板３２側に位置する上着取付部側延伸部３６ｂとを有する。上着には、冬に着用される厚手のコート、ジャンパーやジャッケット、春秋に着用される背広やジャッケット、夏季に着用される薄手のワイシャツやブラウス、防犯用の防刃服や防弾服がある。このように、上着の厚みは季節や場所に応じて、１ｍｍ程度から１０ｍｍ程度まで大きく変動する。このような上着の厚みの変動に対しても、衣服装着部３０では的確に対処して、撃退用器具収納部２０を適切な位置、例えば腰の近くに保持させる必要がある。
【００３０】
そこで、図３（Ａ）に示すように、帯状屈曲部３６に設けた固定部側延伸部３６ａと上着取付部側延伸部３６ｂによって、上着５０の厚み変動を吸収して、的確に弾性取付板３２と基板２２により、上着５０を挟む。これに対して、図３（Ｂ）に示すように、帯状屈曲部がない場合には、上着５０が厚手の場合には、上着５０の厚み変動を衣服装着部３０が吸収できず、弾性取付板３２と基板２２で上着５０を挟むと、弾性取付板３２の上側縁部３２ａと保持用裏当て部３８又は基板２２の上側縁部２２ａとの間が開いてしまう。そこで、撃退用機器の保持器が上着から脱落する虞が増す。
【００３１】
したがって、帯状屈曲部３６に設けた固定部側延伸部３６ａと上着取付部側延伸部３６ｂの形状は、弾性取付板３２が上着５０を確実に押え付けるように選定する。好ましくは、冬場に着用される上着５０の厚みｔを基準として、固定部側延伸部３６ａの長さは２ｔ乃至５ｔ程度、上着取付部側延伸部３６の長さは０．５ｔ乃至２ｔ程度にするとよい。この場合、暖地や熱帯地方のように無積雪地域で、冬に相当する季節でも温帯地域の秋冬に相当する場合は、上着５０の厚み基準ｔが薄くなるので、固定部側延伸部３６ａと上着取付部側延伸部３６ｂの長さは上着５０の厚み基準ｔに対して大きめにとる。他方、寒冷地域では、上着５０の厚み基準ｔが厚くなるので、固定部側延伸部３６ａと上着取付部側延伸部３６ｂの長さは上着５０の厚み基準ｔに対して小さめにとる。さらに、下端部３２ｃは、弾性取付板３２の固定部３４よりも撃退用器具１０の装着側に設けられるもので、Ｕ字形屈曲部２４、２６に収納される撃退用器具１０と干渉しない長さと厚みに定められ、撃退用器具１０の着脱に影響しないように定める。
【００３２】
図４は、本発明の撃退用機器の保持器の比較例を説明する構成図で、（Ａ）は本実施例と比較して端部が短い場合の側面図、（Ｂ）は長い場合の側面図である。図４（Ａ）に示す比較例では、中心Ｏから端部２４ａ、２６ａの先端方向への線分のなす角度θＡが８５度から９０度までの範囲で基板２２の上側方向に位置する。端部２４ａ、２６ａが９０度程度と短い場合には、端部２４ａ、２６ａの先端位置が撃退用器具１０の中心Ｏを越えず、撃退用器具１０が撃退用器具収納部２０から脱落しやすくなる。
【００３３】
他方、図４（Ｂ）に示す比較例では、中心Ｏから端部２４ａ、２６ａの先端方向への線分のなす角度θＢが１３５度を超えて１５０度程度までの範囲で基板２２の上側方向に位置する。端部２４ａ、２６ａの先端位置が撃退用器具１０の固定部３４側の位置を越えるため、反撃行為の際に撃退用器具１０を撃退用器具収納部２０から取り外す行為に対して、端部２４ａ、２６ａが取り外される撃退用器具１０と干渉する。
【００３４】
次に、反撃行為において、撃退用器具１０が催涙スプレーのうち、ＯＣガスの場合を説明する。ＯＣ（Oleoresin Capsicum）ガスは、カプサイシンを主成分とするもので、常温下では主に油状の液体で、スプレー缶により勢いよく噴射される。ＯＣガスを顔面にスプレーされると皮膚や粘膜にヒリヒリとした痛みが走り、咳き込んだり、涙が止まらなくなるなどといった症状が現れる。小型のスプレー缶でも５〜１０秒程度の連続噴射が可能だが、至近距離からきちんと狙えば０．５〜１秒程度の噴射でも激しい咳と洟水が停まらなくなり、１０数分は行動困難な状態となる。暴漢１〜２人程度なら、小型の製品で充分に対応可能で、行きずりの犯行などと言ったケースでは、そのような軽度の反撃でも充分に相手の気勢を削ぎ威嚇できる可能性が高い。
【００３５】
ＯＣガスは、３０〜４０分程効果が持続した後、正常な状態に戻るには数時間ほどを要する。噴射した相手に失明の危機や後遺症を残すような事はない。顔面に命中させなくても、舞い上がるエアロゾルは周囲に漂い、加害者が吸引してしまうため、たとえ加害者がオートバイ用のフルフェイス・ヘルメット等を着用していても、首やベンチレーター付近に吹き付けるだけで一定の効果が見られる。
【００３６】
なお、ＯＣガスには、暴漢の逮捕を容易とするために、染料を含ませるとよい。ＯＣガスに塗料を含ませると、噴射された相手が黄橙色等の特定の色彩に染まり、しかも付着した染料は加害者の顔面などの効果的な部分に命中しなくとも着衣や皮膚を染色し、たとえ水や石鹸で洗っても簡単に落ちないため、後日の犯人検挙に有効である。またＯＣガスにＵＶ塗料を含ませると、加害者の衣服に付着したＵＶ塗料を照明器具で照らせば発光するため、加害者の特定が容易にでき、後日の犯人検挙に有効である。
【産業上の利用可能性】
【００３７】
本発明は、催涙スプレーやスタンガン等の暴力行為等の撃退用機器の保持器に関し、特に通常の衣服やズボン・スカートに着用する場合に用いて好適な、迅速に使用開始できる暴力行為等の撃退用機器の保持器に関する。本発明の保持器によれば、撃退用器具の装着が容易であると共に使用者の意に反する離脱が生じにくく、また衣類に撃退用機器の保持器を装着する場合にも、利用者は撃退用器具の取り出しを迅速かつ容易にできる。
【符号の説明】
【００３８】
１０  撃退用器具
２０  撃退用器具収納部
２２  基板
２４、２６  Ｕ字形屈曲部
２８  間隙部
３０  衣服装着部
３２  弾性取付板
３４  固定部
３６  帯状屈曲部
４０  クリップ部（スカートズボン取付部）
５０  上着（衣服）
【図１】
2010266159.tif 000003
【図２】
2010266159.tif 000004
【図３】
2010266159.tif 000005
【図４】
2010266159.tif 000006